【手続補正書】
【提出日】平成20年1月8日(2008.1.8)
【手続補正１】
【補正対象書類名】明細書
【補正対象項目名】特許請求の範囲
【補正方法】変更
【補正の内容】
【特許請求の範囲】
【請求項１】
ゲート及びデータ駆動信号を処理する印刷回路基板と、
カラーフィルタ基板、及び前記カラーフィルタ基板と対応し、それぞれが一側端部に延長された複数のゲートラインを有する複数のゲートライン群と、それぞれが前記一側端部に隣接する他側端部に延長された複数のデータラインを有する複数のデータライン群と、前記ゲートライン群と前記データライン群との間に位置して前記ゲート駆動信号を伝送するゲート駆動信号ラインとが形成されたＴＦＴ基板を含む液晶表示パネルと、
前記印刷回路基板と前記ＴＦＴ基板とを電気的に接続し、前記印刷回路基板から印加された前記データ駆動信号を処理するデータ駆動ＩＣを含み、前記データラインに前記データ駆動ＩＣで処理された画像信号を印加し、前記ゲート駆動信号ラインに前記ゲート駆動信号を印加する第１フレキシブルフィルムと、
前記ゲート駆動信号ラインと前記ゲートラインとを電気的に接続し、前記印刷回路基板から前記第１フレキシブルフィルムを通じて印加された前記ゲート駆動信号を処理するゲート駆動ＩＣを含み、前記ゲートラインに前記ゲート駆動ＩＣで処理された走査信号を印加する第２フレキシブルフィルムと、
を含むことを特徴とする、液晶表示パネルアセンブリ。
【請求項２】
前記ゲート駆動信号ラインは、非有効表示領域に形成された複数の信号伝送ラインを含むことを特徴とする、請求項１に記載の液晶表示パネルアセンブリ。
【請求項３】
前記ゲート駆動信号ラインは、薄膜形態の金属またはＩＴＯで形成されることを特徴とする、請求項１に記載の液晶表示パネルアセンブリ。
【請求項４】
前記第１フレキシブルフィルムは、
前記印刷回路基板からゲート駆動信号をゲート駆動信号ラインに印加するゲート駆動信号パターンと、
前記印刷回路基板からデータ駆動信号をデータラインに印加するデータ駆動信号パターンと、
を含むことを特徴とする、請求項１に記載の液晶表示パネルアセンブリ。
【請求項５】
前記第１フレキシブルフィルムは、
ベース基板と、
前記ベース基板の一側面に形成されたゲート駆動信号伝送パターンと、
前記ベース基板の前記一側面に形成され、前記データ駆動ＩＣの入力端に接続されたデータ駆動信号入力パターン及び前記データ駆動ＩＣの出力端に接続されたデータ駆動信号出力パターンを含むデータ駆動信号伝送パターンと、
を更に含み、
前記データ駆動ＩＣは、前記ベース基板の前記一側面に形成されることを特徴とする、請求項１に記載の液晶表示パネルアセンブリ。
【請求項６】
前記第２フレキシブルフィルムは、
ベース基板と、
前記ベース基板の一側面に形成され、ゲート駆動信号入力パターン、第１ゲート駆動信号出力パターン、及び第２ゲート駆動信号出力パターンを含むゲート駆動信号伝送パターンと、
を含み、
前記ゲート駆動ＩＣは、前記ベース基板の一側面に形成され、
前記ゲート駆動信号入力パターンは、前記ゲート駆動ＩＣの入力端と接続され、
前記第１ゲート駆動信号出力パターンは、前記ゲート駆動ＩＣの入力及び出力端と接続されず前記駆動ＩＣをバイパスし、
前記第２ゲート駆動信号出力パターンは、前記ゲート駆動ＩＣの出力端と接続されることを特徴とする、請求項１に記載の液晶表示パネルアセンブリ。
【請求項７】
ゲート及びデータ駆動信号を処理する印刷回路基板と、
カラーフィルタ基板、及び前記カラーフィルタ基板と対応し、それぞれが一側端部に延長された複数のゲートラインを有する複数のゲートライン群と、それぞれが前記一側端部に隣接する他側端部に延長された複数のデータラインを有する複数のデータライン群と、前記ゲートライン群と前記データライン群との間に位置し、前記ゲート駆動信号を伝送するゲート駆動信号ラインと、が形成されたＴＦＴ基板を含むＬＣＤパネルと、
前記印刷回路基板と前記ＴＦＴ基板とを電気的に接続し、前記印刷回路基板から印加された前記データ駆動信号を処理するデータ駆動ＩＣを含み、前記データラインに前記データ駆動ＩＣで処理された画像信号を印加し、これと同時に前記ゲート駆動信号ラインに前記ゲート駆動信号を印加するフレキシブルフィルムと、
を含み、
前記フレキシブルフィルムは、一部が前記ＴＦＴ基板に電気的に接続された第１側部及び一部が前記印刷回路基板に電気的に接続された第２側部を含むことを特徴とする、液晶表示パネル。
【請求項８】
表示領域と周辺領域とに区分され、前記周辺領域には第１側部に沿って形成された第１角部及び前記第１側部に隣接する第２側部に沿って形成された第２角部が形成された基板と、
前記基板の表示領域に形成された第１ライン及び第２ラインと、
前記周辺領域の第１角部に形成され、前記第１ラインと電気的に接続され、第１駆動信号を前記第１ラインに伝送する第１駆動信号伝送パターンと、
前記周辺領域の第２角部に形成され、第１外部装置と前記第２ラインとの間に電気的に接続され、第２駆動信号を前記第１外部装置から前記第２ラインに伝送する第２駆動信号伝送パターンと、
前記周辺領域の前記第２角部から前記第１角部まで延長して形成され、前記第１外部装置と電気的に接続され、前記第１外部装置からの第１信号を伝送する第１信号伝送パターンと、
を含み、
前記第１信号伝送パターンは、
前記第１外部装置と電気的に接続された前記第２角部に形成された入力端子と、
前記第１角部に形成された出力端子と、
前記入力端子と前記出力端子との間に電気的に接続された主信号パターンと、を含むことを特徴とする、液晶表示パネル。
【請求項９】
前記第１信号伝送パターンの入力端子と前記第２駆動信号伝送パターンとは、互いに隣接するように形成されることを特徴とする、請求項８に記載の液晶表示パネル。
【請求項１０】
前記第１外部装置は第２信号の伝送を受け、前記第２駆動信号を発生することを特徴とする、請求項８に記載の液晶表示パネル。
【請求項１１】
前記第２信号は、データ信号であることを特徴とする、請求項１０に記載の液晶表示パネル。
【請求項１２】
前記第１外部装置は、前記第２駆動信号を発生する駆動回路を含むことを特徴とする、請求項１０に記載の液晶表示パネル。
【請求項１３】
前記第１信号伝送パターンの出力パターンと前記第１駆動信号伝送パターンとは、互いに隣接するように形成されることを特徴とする、請求項８に記載の液晶表示パネル。
【請求項１４】
前記第１信号伝送パターンの出力パターンと前記第１駆動信号伝送パターンとは、第２外部装置に電気的に接続されることを特徴とする、請求項８に記載の液晶表示パネル。
【請求項１５】
前記第２外部装置は、前記第１信号伝送パターンから前記第１信号の伝送を受け、前記第１駆動信号を発生することを特徴とする、請求項１４に記載の液晶表示パネル。
【請求項１６】
前記第２外部装置は、前記第１駆動信号を発生する駆動回路を含むことを特徴とする、請求項１５に記載の液晶表示パネル。
【請求項１７】
前記第１信号伝送パターンの主パターンは、前記基板の第１側部及び第２側部に沿って形成されることを特徴とする、請求項８に記載の液晶表示パネル。
【請求項１８】
基板と、
前記基板に形成される第１ライン及び第２ラインと、
前記基板に形成され、第１駆動信号を前記第１ラインに伝送する第１駆動信号伝送パターンと、
前記基板に形成され、第２駆動信号を第１外部装置から前記第２ラインに伝送する第２駆動信号伝送パターンと、
前記基板に形成され、前記第１外部装置から入力された第１信号を伝送する第１信号伝送パターンと、
を含み、
前記第１信号伝送パターンは、
第２角部に形成された入力端子と、
第１角部に形成された出力端子と、
前記入力端子及び前記出力端子との間に電気的に接続された主信号パターンと、を含み、
前記第１信号伝送パターンの出力端子及び前記第１駆動信号伝送パターンは、互いに隣接するように形成されることを特徴とする、液晶表示パネル。
【請求項１９】
前記基板は、表示領域および周辺領域を含み、
前記第１及び第２ラインは前記表示領域に形成され、
前記第１駆動信号伝送パターン、前記第２駆動信号伝送パターン、及び前記第１信号伝送パターンは、周辺領域に形成されることを特徴とする、請求項１８に記載の液晶表示パネル。
【請求項２０】
前記周辺領域は、
前記基板の第１側部に沿って形成された第１角部と、
前記第１側部と隣接する第２側部に沿って形成された第２角部と、
を含み、
前記第１駆動信号伝送パターンは前記第１角部に形成され、前記第２駆動信号伝送パターンは前記第２角部に形成され、前記第１信号伝送パターンは前記第２角部から前記第１角部まで延長して形成されることを特徴とする、請求項１９に記載の液晶表示パネル。
【請求項２１】
前記第１信号伝送パターンの入力端子と前記第２駆動信号伝送パターンとは、互いに隣接するように形成されることを特徴とする、請求項１８に記載の液晶表示パネル。
【請求項２２】
前記第１信号伝送パターンの入力端子と前記第２駆動信号伝送パターンとは、前記第１外部装置と電気的に接続されることを特徴とする、請求項１８に記載の液晶表示パネル。
【請求項２３】
前記第１外部装置は第２信号の伝送を受け、前記第２駆動信号を発生することを特徴とする、請求項２２に記載の液晶表示パネル。
【請求項２４】
前記第１外部装置は、前記第２駆動信号を発生する駆動回路を含むことを特徴とする、請求項２３に記載の液晶表示パネル。
【請求項２５】
前記第１信号伝送パターンの出力端子と前記第１駆動信号伝送パターンとは、第２外部装置と電気的に接続されることを特徴とする、請求項１８に記載の液晶表示パネル。
【請求項２６】
前記第２外部装置は、前記第１信号伝送パターンから前記第１信号の伝送を受け、前記第１駆動信号を発生することを特徴とする、請求項２５に記載の液晶表示パネル。
【請求項２７】
前記第２外部装置は、前記第１駆動信号を発生する駆動回路を含むことを特徴とする、請求項２６に記載の液晶表示パネル。
【請求項２８】
前記第１信号伝送パターンの前記主信号パターンは、前記基板の第１側部及び第２側部に沿って形成されることを特徴とする、請求項１８に記載の液晶表示パネル。
【請求項２９】
ベース基板と、
前記ベース基板に形成され、外部装置から第１信号及び第２信号の伝送を受ける入力パターンと、
前記ベース基板に形成され、前記第１信号の伝送を受け、第１駆動信号を発生する駆動ＩＣと、
前記ベース基板に形成され、前記第２信号をリレーするリレーパターンと、
前記ベース基板に形成され、前記駆動ＩＣから前記第１駆動信号の伝送を受け、前記リレーパターンから前記第２信号の伝送を受ける出力パターンと、
を含み、
前記リレーパターンは、前記駆動ＩＣと電気的に接続されないことを特徴とする、信号伝送パターン。
【請求項３０】
印刷回路基板から表示パネルに形成されたデータラインに画像信号を伝送するデータ信号伝送パターンと、
前記印刷回路基板から前記表示パネルに形成されたゲートラインに走査信号を伝送するゲート信号伝送パターンと、
を含み、
前記データ信号伝送パターンは、前記表示パネルと電気的に接続される第１側及び前記印刷回路基板と電気的に接続される第２側を含む可撓性回路基板に形成されることを特徴とする、表示装置の信号伝送システム。
【請求項３１】
第１基板と、
前記第１基板の一部の上部に形成された第２基板と、
前記第１基板に形成された複数のゲートライン及び複数のデータラインと、
前記第１基板に形成され、前記ゲートラインと電気的に接続され、走査信号を伝送する第１ゲート駆動信号伝送パターンと、
を含み、
前記第１ゲート駆動信号伝送パターンは、
前記複数のデータラインからなるデータライン群と実質的に隣接するように形成され、第１外部装置と電気的に接続された入力端子と、
前記複数のゲートラインからなるゲートライン群と実質的に隣接するように形成され、前記ゲートラインと接続されたゲートオン・オフ電圧発生ユニットと電気的に接続された出力端子と、
前記入力端子及び前記出力端子との間に電気的に接続された主信号パターンと、
を含むことを特徴とする、平板パネルディスプレイ。
【請求項３２】
基板と、
前記基板に形成されたゲートライン及びデータラインと、
前記基板に形成され、前記ゲートラインと電気的に接続され、前記ゲートラインに走査信号を伝送するゲート駆動信号伝送パターンと、
前記基板に形成され、前記データラインと電気的に接続され、前記データラインに画像信号を伝送するデータ駆動信号伝送パターンと、
前記データ駆動信号伝送パターンと隣接するように前記基板に形成され、第１外部装置から前記ゲート駆動信号伝送パターンにゲート信号を伝送するゲート信号伝送パターンと、
を含むことを特徴とする、液晶表示パネル。
【請求項３３】
ゲート駆動信号及びデータ駆動信号を処理する印刷回路基板と、
カラーフィルタ基板、及び前記カラーフィルタ基板と対応し、それぞれが一側端部に延長された複数のゲートラインを有する複数のゲートライン群と、それぞれが前記一側端部に隣接する他側端部に延長された複数のデータラインを有する複数のデータライン群と、前記ゲートライン群と前記データライン群との間に位置し、前記ゲート駆動信号を伝送するゲート駆動信号ラインが形成されたＴＦＴ基板と、を含む液晶表示パネルと、
前記印刷回路基板と前記ＴＦＴ基板とを電気的に接続し、前記印刷回路基板から印加された前記データ駆動信号を処理するデータ駆動ＩＣを含み、前記データラインに前記データ駆動ＩＣで処理された画像信号を印加し、前記ゲート駆動信号ラインに前記ゲート駆動信号を印加する第１フレキシブルフィルムと、
前記ゲート駆動信号ラインと前記ゲートラインとを電気的に接続し、前記印刷回路基板から前記第１フレキシブルフィルムを通じて印加された前記ゲート駆動信号を処理するゲート駆動ＩＣを含み、前記ゲートラインに前記ゲート駆動ＩＣで処理された走査信号を印加する第２フレキシブルフィルムと、
隣接する第２フレキシブルフィルム間のＴＦＴ基板に形成され、前記隣接する第２フレキシブルフィルム間に前記ゲート駆動信号を伝達するゲート駆動信号伝送ラインと、
を含むことを特徴とする、液晶表示パネルアセンブリ。
【請求項３４】
前記ゲート駆動信号ラインは、非有効表示領域に形成された複数の信号伝送ラインを含むことを特徴とする、請求項３３に記載の液晶表示パネルアセンブリ。
【請求項３５】
前記ゲート駆動信号ラインは、薄膜形態の金属またはＩＴＯからなることを特徴とする、請求項３３に記載の液晶表示パネルアセンブリ。
【請求項３６】
前記第１フレキシブルフィルムは、
前記印刷回路基板からゲート駆動信号をゲート駆動信号ラインに印加するゲート駆動信号パターンと、
前記印刷回路基板からデータ駆動信号をデータラインに印加するデータ駆動信号パターンと、
を含むことを特徴とする、請求項３３に記載の液晶表示パネルアセンブリ。
【請求項３７】
前記第１フレキシブルフィルムは、
ベース基板と、
前記ベース基板の一側面に形成されたゲート駆動信号伝送パターンと、
前記ベース基板の前記一側面に形成され、前記データ駆動ＩＣの入力端に接続されたデータ駆動信号入力パターン及び前記データ駆動ＩＣの出力端に接続されたデータ駆動信号出力パターンを含むデータ駆動信号伝送パターンと、
を更に含み、
前記データ駆動ＩＣは、前記ベース基板の前記一側面に形成されることを特徴とする、請求項３３に記載の液晶表示パネルアセンブリ。
【請求項３８】
前記第２フレキシブルフィルムは、
ベース基板と、
前記ベース基板の一側面に形成され、ゲート駆動信号入力パターン、第１ゲート駆動信号出力パターン、及び第２ゲート駆動信号出力パターンを含むゲート駆動信号伝送パターンと、
を含み、
前記ゲート駆動ＩＣは、前記ベース基板の一側面に形成され、
前記ゲート駆動信号入力パターンは、前記ゲート駆動ＩＣの入力端と接続され、
前記第１ゲート駆動信号出力パターンは、前記ゲート駆動ＩＣの入力及び出力端と接続されず前記駆動ＩＣをバイパスして前記ゲート駆動信号伝送ラインと接続され、
前記第２ゲート駆動信号出力パターンは、前記ゲート駆動ＩＣの出力端と接続されることを特徴とする、請求項３３に記載の液晶表示パネルアセンブリ。
【手続補正２】
【補正対象書類名】明細書
【補正対象項目名】００１８
【補正方法】変更
【補正の内容】
【００１８】
【課題を解決するための手段】
上記課題を解決するため，本発明のある観点によれば，ゲート及びデータ駆動信号を処理する印刷回路基板と、カラーフィルタ基板、及び前記カラーフィルタ基板と対応し、それぞれが一側端部に延長された複数のゲートラインを有する複数のゲートライン群と、それぞれが前記一側端部に隣接する他側端部に延長された複数のデータラインを有する複数のデータライン群と、前記ゲートライン群と前記データライン群との間に位置して前記ゲート駆動信号を伝送するゲート駆動信号ラインとが形成されたＴＦＴ基板を含む液晶表示パネルと、前記印刷回路基板と前記ＴＦＴ基板とを電気的に接続し、前記印刷回路基板から印加された前記データ駆動信号を処理するデータ駆動ＩＣを含み、前記データラインに前記データ駆動ＩＣで処理された画像信号を印加し、前記ゲート駆動信号ラインに前記ゲート駆動信号を印加する第１フレキシブルフィルムと、前記ゲート駆動信号ラインと前記ゲートラインとを電気的に接続し、前記印刷回路基板から前記第１フレキシブルフィルムを通じて印加された前記ゲート駆動信号を処理するゲート駆動ＩＣを含み、前記ゲートラインに前記ゲート駆動ＩＣで処理された走査信号を印加する第２フレキシブルフィルムと、を含むことを特徴とする、液晶表示パネルアセンブリが提供される。
【手続補正３】
【補正対象書類名】明細書
【補正対象項目名】００１９
【補正方法】変更
【補正の内容】
【００１９】
また，前記ゲート駆動信号ラインは、非有効表示領域に形成された複数の信号伝送ラインを含んでいてもよい。また，ゲート駆動信号ラインは、薄膜形態の金属またはＩＴＯで形成されていてもよい。また，前記第１フレキシブルフィルムは、前記印刷回路基板からゲート駆動信号をゲート駆動信号ラインに印加するゲート駆動信号パターンと、前記印刷回路基板からデータ駆動信号をデータラインに印加するデータ駆動信号パターンと、を含んでいてもよい。また，前記第１フレキシブルフィルムは、ベース基板と、前記ベース基板の一側面に形成されたゲート駆動信号伝送パターンと、前記ベース基板の前記一側面に形成され、前記データ駆動ＩＣの入力端に接続されたデータ駆動信号入力パターン及び前記データ駆動ＩＣの出力端に接続されたデータ駆動信号出力パターンを含むデータ駆動信号伝送パターンと、を更に含み、前記データ駆動ＩＣは、前記ベース基板の前記一側面に形成されていてもよい。また，前記第２フレキシブルフィルムは、ベース基板と、前記ベース基板の一側面に形成され、ゲート駆動信号入力パターン、第１ゲート駆動信号出力パターン、及び第２ゲート駆動信号出力パターンを含むゲート駆動信号伝送パターンと、を含み、前記ゲート駆動ＩＣは、前記ベース基板の一側面に形成され、前記ゲート駆動信号入力パターンは、前記ゲート駆動ＩＣの入力端と接続され、前記第１ゲート駆動信号出力パターンは、前記ゲート駆動ＩＣの入力及び出力端と接続されず前記駆動ＩＣをバイパスし、前記第２ゲート駆動信号出力パターンは、前記ゲート駆動ＩＣの出力端と接続されていてもよい。
【手続補正４】
【補正対象書類名】明細書
【補正対象項目名】００２０
【補正方法】変更
【補正の内容】
【００２０】
また，上記課題を解決するため，本発明の別に観点によれば，ゲート及びデータ駆動信号を処理する印刷回路基板と、カラーフィルタ基板、及び前記カラーフィルタ基板と対応し、それぞれが一側端部に延長された複数のゲートラインを有する複数のゲートライン群と、それぞれが前記一側端部に隣接する他側端部に延長された複数のデータラインを有する複数のデータライン群と、前記ゲートライン群と前記データライン群との間に位置し、前記ゲート駆動信号を伝送するゲート駆動信号ラインと、が形成されたＴＦＴ基板を含むＬＣＤパネルと、前記印刷回路基板と前記ＴＦＴ基板とを電気的に接続し、前記印刷回路基板から印加された前記データ駆動信号を処理するデータ駆動ＩＣを含み、前記データラインに前記データ駆動ＩＣで処理された画像信号を印加し、これと同時に前記ゲート駆動信号ラインに前記ゲート駆動信号を印加するフレキシブルフィルムと、を含み、前記フレキシブルフィルムは、一部が前記ＴＦＴ基板に電気的に接続された第１側部及び一部が前記印刷回路基板に電気的に接続された第２側部を含むことを特徴とする、液晶表示パネルが提供される。
【手続補正５】
【補正対象書類名】明細書
【補正対象項目名】００２１
【補正方法】変更
【補正の内容】
【００２１】
また，上記課題を解決するため，本発明の別に観点によれば，表示領域と周辺領域とに区分され、前記周辺領域には第１側部に沿って形成された第１角部及び前記第１側部に隣接する第２側部に沿って形成された第２角部が形成された基板と、前記基板の表示領域に形成された第１ライン及び第２ラインと、前記周辺領域の第１角部に形成され、前記第１ラインと電気的に接続され、第１駆動信号を前記第１ラインに伝送する第１駆動信号伝送パターンと、前記周辺領域の第２角部に形成され、第１外部装置と前記第２ラインとの間に電気的に接続され、第２駆動信号を前記第１外部装置から前記第２ラインに伝送する第２駆動信号伝送パターンと、前記周辺領域の前記第２角部から前記第１角部まで延長して形成され、前記第１外部装置と電気的に接続され、前記第１外部装置からの第１信号を伝送する第１信号伝送パターンと、を含み、前記第１信号伝送パターンは、前記第１外部装置と電気的に接続された前記第２角部に形成された入力端子と、前記第１角部に形成された出力端子と、前記入力端子と前記出力端子との間に電気的に接続された主信号パターンと、を含むことを特徴とする、液晶表示パネルが提供される。
【手続補正６】
【補正対象書類名】明細書
【補正対象項目名】００２２
【補正方法】変更
【補正の内容】
【００２２】
前記第１信号伝送パターンの入力端子と前記第２駆動信号伝送パターンとは、互いに隣接するように形成されていてもよい。また，前記第１外部装置は第２信号の伝送を受け、前記第２駆動信号を発生してもよい。また，前記第２信号は、データ信号であってもよい。また，前記第１外部装置は、前記第２駆動信号を発生する駆動回路を含んでいてもよい。
【手続補正７】
【補正対象書類名】明細書
【補正対象項目名】００２３
【補正方法】変更
【補正の内容】
【００２３】
また，前記第１信号伝送パターンの出力パターンと前記第１駆動信号伝送パターンとは、互いに隣接するように形成されていてもよい。また，前記第１信号伝送パターンの出力パターンと前記第１駆動信号伝送パターンとは、第２外部装置に電気的に接続されていてもよい。
【手続補正８】
【補正対象書類名】明細書
【補正対象項目名】００２４
【補正方法】変更
【補正の内容】
【００２４】
また，前記第２外部装置は、前記第１信号伝送パターンから前記第１信号の伝送を受け、前記第１駆動信号を発生してもよい。また，前記第２外部装置は、前記第１駆動信号を発生する駆動回路を含んでいてもよい。また，前記第１信号伝送パターンの主パターンは、前記基板の第１側部及び第２側部に沿って形成されていてもよい。
【手続補正９】
【補正対象書類名】明細書
【補正対象項目名】００２５
【補正方法】変更
【補正の内容】
【００２５】
また，上記課題を解決するため，本発明の別の観点によれば，基板と、前記基板に形成される第１ライン及び第２ラインと、前記基板に形成され、第１駆動信号を前記第１ラインに伝送する第１駆動信号伝送パターンと、前記基板に形成され、第２駆動信号を第１外部装置から前記第２ラインに伝送する第２駆動信号伝送パターンと、前記基板に形成され、前記第１外部装置から入力された第１信号を伝送する第１信号伝送パターンと、を含み、前記第１信号伝送パターンは、第２角部に形成された入力端子と、第１角部に形成された出力端子と、前記入力端子及び前記出力端子との間に電気的に接続された主信号パターンと、を含み、前記第１信号伝送パターンの出力端子及び前記第１駆動信号伝送パターンは、互いに隣接するように形成されることを特徴とする、液晶表示パネルが提供される。
【手続補正１０】
【補正対象書類名】明細書
【補正対象項目名】００２６
【補正方法】変更
【補正の内容】
【００２６】
また，前記基板は、表示領域および周辺領域を含み、前記第１及び第２ラインは前記表示領域に形成され、前記第１駆動信号伝送パターン、前記第２駆動信号伝送パターン、及び前記第１信号伝送パターンは、周辺領域に形成されていてもよい。
【手続補正１１】
【補正対象書類名】明細書
【補正対象項目名】００２７
【補正方法】変更
【補正の内容】
【００２７】
また，前記周辺領域は、前記基板の第１側部に沿って形成された第１角部と、前記第１側部と隣接する第２側部に沿って形成された第２角部と、を含み、前記第１駆動信号伝送パターンは前記第１角部に形成され、前記第２駆動信号伝送パターンは前記第２角部に形成され、前記第１信号伝送パターンは前記第２角部から前記第１角部まで延長して形成されていてもよい。
【手続補正１２】
【補正対象書類名】明細書
【補正対象項目名】００２８
【補正方法】変更
【補正の内容】
【００２８】
また，前記第１信号伝送パターンの入力端子と前記第２駆動信号伝送パターンとは、互いに隣接するように形成されていてもよい。また，前記第１信号伝送パターンの入力端子と前記第２駆動信号伝送パターンとは、前記第１外部装置と電気的に接続されていてもよい。また，前記第１外部装置は第２信号の伝送を受け、前記第２駆動信号を発生してもよい。また，前記第１外部装置は、前記第２駆動信号を発生する駆動回路を含んでいてもよい。また，前記第１信号伝送パターンの出力端子と前記第１駆動信号伝送パターンとは、第２外部装置と電気的に接続されていてもよい。また，前記第２外部装置は、前記第１信号伝送パターンから前記第１信号の伝送を受け、前記第１駆動信号を発生してもよい。また，前記第２外部装置は、前記第１駆動信号を発生する駆動回路を含んでいてもよい。また，前記第１信号伝送パターンの前記主信号パターンは、前記基板の第１側部及び第２側部に沿って形成されていてもよい。
【手続補正１３】
【補正対象書類名】明細書
【補正対象項目名】００２９
【補正方法】変更
【補正の内容】
【００２９】
また，上記課題を解決するため，本発明の別の観点によれば，ベース基板と、前記ベース基板に形成され、外部装置から第１信号及び第２信号の伝送を受ける入力パターンと、前記ベース基板に形成され、前記第１信号の伝送を受け、第１駆動信号を発生する駆動ＩＣと、前記ベース基板に形成され、前記第２信号をリレーするリレーパターンと、前記ベース基板に形成され、前記駆動ＩＣから前記第１駆動信号の伝送を受け、前記リレーパターンから前記第２信号の伝送を受ける出力パターンと、を含み、前記リレーパターンは、前記駆動ＩＣと電気的に接続されないことを特徴とする、信号伝送パターンが提供される。
【手続補正１４】
【補正対象書類名】明細書
【補正対象項目名】００３０
【補正方法】変更
【補正の内容】
【００３０】
また，上記課題を解決するため，本発明の別の観点によれば，印刷回路基板から表示パネルに形成されたデータラインに画像信号を伝送するデータ信号伝送パターンと、前記印刷回路基板から前記表示パネルに形成されたゲートラインに走査信号を伝送するゲート信号伝送パターンと、を含み、前記データ信号伝送パターンは、前記表示パネルと電気的に接続される第１側及び前記印刷回路基板と電気的に接続される第２側を含む可撓性回路基板に形成されることを特徴とする、表示装置の信号伝送システムが提供される。
【手続補正１５】
【補正対象書類名】明細書
【補正対象項目名】００３１
【補正方法】変更
【補正の内容】
【００３１】
また，上記課題を解決するため，本発明の別の観点によれば，第１基板と、前記第１基板の一部の上部に形成された第２基板と、前記第１基板に形成された複数のゲートライン及び複数のデータラインと、前記第１基板に形成され、前記ゲートラインと電気的に接続され、走査信号を伝送する第１ゲート駆動信号伝送パターンと、を含み、前記第１ゲート駆動信号伝送パターンは、前記複数のデータラインからなるデータライン群と実質的に隣接するように形成され、第１外部装置と電気的に接続された入力端子と、前記複数のゲートラインからなるゲートライン群と実質的に隣接するように形成され、前記ゲートラインと接続されたゲートオン・オフ電圧発生ユニットと電気的に接続された出力端子と、前記入力端子及び前記出力端子との間に電気的に接続された主信号パターンと、を含むことを特徴とする、平板パネルディスプレイが提供される。
【手続補正１６】
【補正対象書類名】明細書
【補正対象項目名】００３２
【補正方法】変更
【補正の内容】
【００３２】
また，上記課題を解決するため，本発明の別の観点によれば，基板と、前記基板に形成されたゲートライン及びデータラインと、前記基板に形成され、前記ゲートラインと電気的に接続され、前記ゲートラインに走査信号を伝送するゲート駆動信号伝送パターンと、前記基板に形成され、前記データラインと電気的に接続され、前記データラインに画像信号を伝送するデータ駆動信号伝送パターンと、前記データ駆動信号伝送パターンと隣接するように前記基板に形成され、第１外部装置から前記ゲート駆動信号伝送パターンにゲート信号を伝送するゲート信号伝送パターンと、を含むことを特徴とする、液晶表示パネルが提供される。
【手続補正１７】
【補正対象書類名】明細書
【補正対象項目名】００３３
【補正方法】変更
【補正の内容】
【００３３】
また，上記課題を解決するため，本発明の別の観点によれば，ゲート駆動信号及びデータ駆動信号を処理する印刷回路基板と、カラーフィルタ基板、及び前記カラーフィルタ基板と対応し、それぞれが一側端部に延長された複数のゲートラインを有する複数のゲートライン群と、それぞれが前記一側端部に隣接する他側端部に延長された複数のデータラインを有する複数のデータライン群と、前記ゲートライン群と前記データライン群との間に位置し、前記ゲート駆動信号を伝送するゲート駆動信号ラインが形成されたＴＦＴ基板と、を含む液晶表示パネルと、前記印刷回路基板と前記ＴＦＴ基板とを電気的に接続し、前記印刷回路基板から印加された前記データ駆動信号を処理するデータ駆動ＩＣを含み、前記データラインに前記データ駆動ＩＣで処理された画像信号を印加し、前記ゲート駆動信号ラインに前記ゲート駆動信号を印加する第１フレキシブルフィルムと、前記ゲート駆動信号ラインと前記ゲートラインとを電気的に接続し、前記印刷回路基板から前記第１フレキシブルフィルムを通じて印加された前記ゲート駆動信号を処理するゲート駆動ＩＣを含み、前記ゲートラインに前記ゲート駆動ＩＣで処理された走査信号を印加する第２フレキシブルフィルムと、隣接する第２フレキシブルフィルム間のＴＦＴ基板に形成され、前記隣接する第２フレキシブルフィルム間に前記ゲート駆動信号を伝達するゲート駆動信号伝送ラインと、を含むことを特徴とする、液晶表示パネルアセンブリが提供される。
【手続補正１８】
【補正対象書類名】明細書
【補正対象項目名】００３４
【補正方法】変更
【補正の内容】
【００３４】
また，前記ゲート駆動信号ラインは、非有効表示領域に形成された複数の信号伝送ラインを含んでいてもよい。
【手続補正１９】
【補正対象書類名】明細書
【補正対象項目名】００３５
【補正方法】変更
【補正の内容】
【００３５】
また，前記ゲート駆動信号ラインは、薄膜形態の金属またはＩＴＯからなっていてもよい。
【手続補正２０】
【補正対象書類名】明細書
【補正対象項目名】００３６
【補正方法】変更
【補正の内容】
【００３６】
また，前記第１フレキシブルフィルムは、ベース基板と、前記ベース基板の一側面に形成されたゲート駆動信号伝送パターンと、前記ベース基板の前記一側面に形成され、前記データ駆動ＩＣの入力端に接続されたデータ駆動信号入力パターン及び前記データ駆動ＩＣの出力端に接続されたデータ駆動信号出力パターンを含むデータ駆動信号伝送パターンと、を更に含み、前記データ駆動ＩＣは、前記ベース基板の前記一側面に形成されていてもよい。
【手続補正２１】
【補正対象書類名】明細書
【補正対象項目名】００３７
【補正方法】変更
【補正の内容】
【００３７】
また，前記第２フレキシブルフィルムは、ベース基板と、前記ベース基板の一側面に形成され、ゲート駆動信号入力パターン、第１ゲート駆動信号出力パターン、及び第２ゲート駆動信号出力パターンを含むゲート駆動信号伝送パターンと、を含み、前記ゲート駆動ＩＣは、前記ベース基板の一側面に形成され、前記ゲート駆動信号入力パターンは、前記ゲート駆動ＩＣの入力端と接続され、前記第１ゲート駆動信号出力パターンは、前記ゲート駆動ＩＣの入力及び出力端と接続されず前記駆動ＩＣをバイパスして前記ゲート駆動信号伝送ラインと接続され、前記第２ゲート駆動信号出力パターンは、前記ゲート駆動ＩＣの出力端と接続されていてもよい。